(57)【要約】【課題】ラベルが貼付された台紙が搬送経路を遮ってしまうことを防止し、安定した搬送性を確保する。【解決手段】このＩＤカード作成装置には、ラベルが貼付された台紙を搬送する搬送経路と、搬送経路の下流側で、搬送経路の延長線上に対して傾斜するように配置されて、台紙を積層して収納する収納部とが備えられている。収納部における台紙が接する載置面は、当該載置面に載置された台紙を、搬送方向に沿う一対の辺が他の部分よりも上位となるように湾曲させる曲面に形成されている。【選択図】図２
2007182017.tif 000002
【特許請求の範囲】
【請求項１】
ラベルが貼付された台紙を搬送する搬送経路と、
前記搬送経路の下流側で、前記搬送経路の延長線上に対して傾斜するように配置されて、前記台紙を積層して収納する収納部とを備え、
前記収納部における前記台紙が接する載置面は、当該載置面に載置された前記台紙を、搬送方向に沿う一対の辺が他の部分よりも上位となるように湾曲させる曲面に形成されていることを特徴とするＩＤカード作成装置。
【請求項２】
請求項１記載のＩＤカード作成装置において、
前記収納部の上流側には、前記搬送経路を挟んで対向するように、前記収納部の高位側及び低位側に配置されて、前記台紙を前記収納部まで案内する一対のガイド部が設けられ、
前記一対のガイド部のうち、前記収納部の低位側に配置されるガイド部は、前記載置面との間隔が、前記台紙の前記搬送方向に沿う辺の長さ未満となるように配置されていて、
前記一対のガイド部のうち、前記収納部の高位側に配置されるガイド部は、前記収納部に最大収納枚数だけ前記台紙を収納した際の、最上位置の前記台紙との間隔が、前記台紙の前記搬送方向に沿う辺の長さよりも長くなるように配置されていることを特徴とするＩＤカード作成装置。
【請求項３】
請求項１記載のＩＤカード作成装置において、
前記収納部の上流側には、前記搬送経路を挟んで対向するように、前記収納部の高位側及び低位側に配置されて、前記台紙を前記収納部まで案内する一対のガイド部が設けられ、
前記一対のガイド部には、前記台紙に前記搬送方向に対しての推進力を付与する一対の搬送ローラが、前記載置面との間隔が前記台紙の前記搬送方向に沿う辺の長さよりも短くなるように設置されていることを特徴とするＩＤカード作成装置。
【請求項４】
請求項１〜３の何れか一項に記載のＩＤカード作成装置において、
前記収納部の低位側に設けられて、前記載置面に直交して前記台紙の落下を防ぐ落下防止面が、前記搬送方向に対して傾いていることを特徴とするＩＤカード作成装置。
【発明の詳細な説明】
【技術分野】
【０００１】
本発明は、ＩＤカード作成装置に係り、特にラベルが貼付された台紙に基づいてＩＤカードを作成するＩＤカード作成装置に関する。
【背景技術】
【０００２】
従来より、ＩＤカード作成装置には、ラベルが貼付された台紙を積層して収納する収納部が備えられている。この収納部は、各種情報が読み取られた台紙を受けるように、台紙の搬送経路の最下流に配置されている（例えば特許文献１参照）。図８は収納部を表す概略構成図である。この図８に示すように、収納部１００は搬送経路１０１に対して傾いている。搬送経路１０１の最下流部には、一対の搬送ローラ１０２と、当該搬送ローラ１０２を回動自在に支持するための第１及び第２ガイド部１０３，１０４とが設けられている。第１ガイド部１０３は、収納部１００の高位置側に配置されており、第２ガイド部１０４は搬送経路１０１を挟んで第１ガイド部１０３に対向するように、収納部１００の低位置側に配置されている。そして、搬送された台紙２００が収納部１００の高位置側に倒れるように、第１ガイド部１０３よりも第２ガイド部１０４の方が下方に張り出して設けられている。ここで、前述したように収納部１００は搬送経路１０１に対して傾いているので、その傾斜により収納部１００の積載面１０５や収納部１００に収納された台紙２００の表面２０１も傾斜することになる。この傾斜した積載面１０５や台紙２００の表面２０１に沿って、ラベルが貼付された台紙２００が滑り落ちて、収納部１００に順次積層されるのである（図９参照）。
【特許文献１】特開２００３−３１２１７０号公報
【発明の開示】
【発明が解決しようとする課題】
【０００３】
ところで、ラベル２０２は台紙２００の表面に貼付されたものであるために、当該ラベル部分がその厚みだけ台紙２００の表面２０１から出っ張ることになる。この出っ張りは、ラベルが貼付された台紙２００が収納部１００内の台紙２００の表面２０１を滑って収納されるときに、引っかかってしまう。これにより、台紙２００が収納部１００内で倒れずに搬送経路１０１を遮ってしまい、搬送が停止してジャムを生じさせるおそれがあった。
【０００４】
本発明の課題は、ラベルが貼付された台紙が搬送経路を遮ってしまうことを防止し、安定した搬送性を確保することである。
【課題を解決するための手段】
【０００５】
請求項１記載の発明におけるＩＤカード作成装置は、
ラベルが貼付された台紙を搬送する搬送経路と、
前記搬送経路の下流側で、前記搬送経路の延長線上に対して傾斜するように配置されて、前記台紙を積層して収納する収納部とを備え、
前記収納部における前記台紙が接する載置面は、当該載置面に載置された前記台紙を、搬送方向に沿う一対の辺が他の部分よりも上位となるように湾曲させる曲面に形成されていることを特徴としている。
【０００６】
請求項２記載の発明は、請求項１記載のＩＤカード作成装置において、
前記収納部の上流側には、前記搬送経路を挟んで対向するように、前記収納部の高位側及び低位側に配置されて、前記台紙を前記収納部まで案内する一対のガイド部が設けられ、
前記一対のガイド部のうち、前記収納部の低位側に配置されるガイド部は、前記載置面との間隔が、前記台紙の前記搬送方向に沿う辺の長さ未満となるように配置されていて、
前記一対のガイド部のうち、前記収納部の高位側に配置されるガイド部は、前記収納部に最大収納枚数だけ前記台紙を収納した際の、最上位置の前記台紙との間隔が、前記台紙の前記搬送方向に沿う辺の長さよりも長くなるように配置されていることを特徴としている。
【０００７】
請求項３記載の発明は、請求項１記載のＩＤカード作成装置において、
前記収納部の上流側には、前記搬送経路を挟んで対向するように、前記収納部の高位側及び低位側に配置されて、前記台紙を前記収納部まで案内する一対のガイド部が設けられ、
前記一対のガイド部には、前記台紙に前記搬送方向に対しての推進力を付与する一対の搬送ローラが、前記載置面との間隔が前記台紙の前記搬送方向に沿う辺の長さよりも短くなるように設置されていることを特徴としている。
【０００８】
請求項４記載の発明は、請求項１〜３の何れか一項に記載のＩＤカード作成装置において、
前記収納部の低位側に設けられて、前記載置面に直交して前記台紙の落下を防ぐ落下防止面が、前記搬送方向に対して傾いていることを特徴としている。
【発明の効果】
【０００９】
本発明によれば、収納部の載置面が、当該載置面に載置された台紙を、搬送方向に沿う一対の辺が他の部分よりも上位となるように湾曲させる曲面に形成されているので、台紙の湾曲によって、一対の辺よりも下方にラベルが位置することになる。つまり、ラベルが一対の辺から出っ張ることが防止される。湾曲した台紙に積層される台紙は、前述の一対の辺に沿って収納されるが、ラベルが出っ張っていないので当該ラベルに引っかかることなく積層されることになる。そして、順次積層される台紙も、下位の台紙の形状にしたがって湾曲することになるので、それ以降積層される台紙の引っ掛かりをも防止することができる。このようにラベルによる引っかかりを防止できれば、ラベルが貼付された台紙が搬送経路を遮ってしまうことを防止でき、結果として安定した搬送性が確保される。
【００１０】
また、収納部の低位側に配置されるガイド部は、載置面との間隔が、台紙の搬送方向に沿う辺の長さ未満となるように配置されているので、収納部が空の状態であっても台紙が収納部の低位側に倒れることが防止される。一方、収納部の高位側に配置されるガイド部は、収納部に最大収納枚数だけ台紙を収納した際の、最上位置の台紙との間隔が、台紙の搬送方向に沿う辺の長さよりも長くなるように配置されているので、台紙がラベルに引っかかったとしても、収納部の高位側に倒れることになる。このため、搬送経路が遮られなくなり、より安定した搬送性を確保することができる。
【００１１】
そして、一対のガイド部には、台紙に推進力を付与する一対の搬送ローラが、載置面との間隔が台紙の搬送方向に沿う辺の長さよりも短くなるように設置されているので、搬送ローラにより搬送された台紙の先端部が、載置面若しくは載置面上の台紙に接触すると、その際の反発力が台紙に作用して、台紙が搬送方向に直交する方向に湾曲することになる。つまり、一対の搬送ローラにより挟まれている間は、台紙は搬送方向に直行する方向に湾曲しているので、載置面の湾曲に沿うように変形しにくくなる。これにより、載置面上における台紙のラベルにも触れにくくなって、台紙の引っかかりをより防止することができる。
【００１２】
さらに、収納部の低位側に設けられて、前記載置面に直交して前記台紙の落下を防ぐ落下防止面が、搬送方向に対して傾いているので、収納後においては台紙及びラベルも搬送方向に対して傾くことになる。ラベルが傾いていると、当該台紙上を新たな台紙が摺擦したとしても、新たな台紙の先端辺と、収納された台紙におけるラベルの後端辺とが非平行となるので、新たな台紙がラベルに引っかかることをより防止することができる。
【発明を実施するための最良の形態】
【００１３】
以下、本実施形態におけるＩＤカード作成装置について図を参照にして説明する。図１は、ＩＤカード作成装置の概略構成を表す側面図である。このＩＤカード作成装置１には、この図１に示すように、訂正ラベルや番号ラベル、顔写真等のラベル２が貼付された台紙３を格納し、当該台紙３を供給する供給トレイ４と、供給トレイ４から供給された台紙３上の各種情報を読み取る読取部５と、読取部５の下流側で台紙３を積層して収納する収納部６と、供給トレイ４から収納部６まで台紙３を搬送する搬送部７とが設けられている。
【００１４】
読取部５には、台紙３上のテキスト情報を読み取るためのＯＣＲリーダ５１と、台紙３上の顔写真を撮影するためのＣＣＤカメラ５２とが設けられており、このＯＣＲリーダ５１で読み取られたテキスト情報や、ＣＣＤカメラ５２で取得された画像データは、図示しないＩＤカード用プリンタに伝送されて、ＩＤカード作成に用いられるようになっている。
【００１５】
搬送部７は、複数の搬送ローラ７１及び搬送ベルト７２により構成されている。搬送部７による台紙３の搬送経路７３は、供給トレイ４から収納部６までほぼ垂直となるように形成されている。
また、収納部６の上流側には、搬送経路７３を挟んで対向して、台紙３を収納部６まで案内する一対のガイド部８が設けられている。
【００１６】
以下、図２を参照してこれら一対のガイド部８及び収納部６の位置関係を具体的に説明する。図２は、一対のガイド部８及び収納部６の位置関係を表す側面図である。この図２に示すように、収納部６には、台紙３を載置する載置面６１が設けられていて、収納部６は、載置面６１が搬送経路７３の延長線Ｔ（図における点線部）上に対して傾斜するように配置されている。また、収納部６の低位側端部には、載置面６１に対して直交するように立設されて、収納部６に収納された台紙３の落下を防ぐ落下防止面６２が設けられている。
【００１７】
そして、一対のガイド部８は、搬送経路７３を挟むように、収納部６の低位側及び高位側に配置されている。これらのガイド部８には、搬送部７の搬送ローラ７１が一対設けられている。また、一対のガイド部８のうち、収納部６の低位側に配置されるガイド部８１は、収納部６の載置面６１との間隔Ｓ１が、台紙３の搬送方向に沿う辺の長さＬ１未満となるように配置されている。具体的に説明すると、ガイド部８１と載置面６１との間隔Ｓ１は、搬送経路７３の延長線Ｔが載置面６１に交わる点から、ガイド部８１の最下点までの間隔である。
一方、一対のガイド部８のうち、収納部６の高位側に配置されるガイド部８２は、収納部６に最大収納枚数だけ台紙３を収納した際の、最上位置の台紙３との間隔Ｓ２が、台紙３の搬送方向に沿う辺の長さＬ１よりも長くなるように配置されている。具体的に説明すると、ガイド部８２と最上位置の台紙３との間隔Ｓ２は、搬送経路７３の延長線Ｔが最上位置の台紙３に交わる点から、ガイド部８２の最下点までの間隔である。ここで、収納部６の最大収納枚数は、載置面６１に対する落下防止面６２の高さＨにより決定されるものである。
【００１８】
図３は、図２のＡ−Ａ断面図を表している。なお、図３においては載置面６１上に台紙３が一枚乗せられた状態を表している。この図３に示すように、収納部６における底部の両側部には、それぞれ外側に向けて高くなるように傾斜する突起６４が設けられている。この突起６４により、収納部６の載置面６１が、当該載置面６１に載置された台紙３を、搬送方向に沿う一対の辺が他の部分よりも上位となるように湾曲させる曲面に形成されている。なお、台紙３における搬送方向に沿う一対の辺は、図３における台紙３の両側辺３１，３２である。
なお、本実施形態では、外側に向けて高くなるように傾斜する突起６４により載置面６１が形成される場合を例示して説明したが、載置面は、台紙３を搬送方向に沿う一対の辺が他の部分よりも上位となるように湾曲させる曲面であればいかなる曲面でもよい。具体的には、例えば図４に示すように、収納部６の中央部分を挟んで配置された角柱状の突起６５により形成された曲面により載置面６１Ａが形成される場合が挙げられる。
【００１９】
次に、本実施形態の作用について説明する。
まず、一枚目の台紙３が搬送部７により供給トレイ４から搬送されて、読取部５を通過して、ガイド部８に到達すると、当該台紙３はガイド部８により収納部６まで案内される。この際、収納部６の低位側に位置するガイド部８１の方が、高位側に位置するガイド部８２よりも最下位置が低いので、台紙３は高位側に倒れながら、収納部６に収納されることになる。収納部６に収納されると、台紙３は図３に示すように載置面６１の曲面に沿って湾曲するために、搬送方向に沿う一対の辺３１，３２が他の部分よりも上位となる。これにより、湾曲した台紙３の一対の辺３１，３２を結んだラインＬ内に、ラベル２が収まることになる。また、これ以降積層される台紙３においても、下層の台紙３に従って湾曲することになる。
【００２０】
収納部６内の台紙３上に、新たな台紙３が搬送されたとしても、ラベル２が一対の辺３１，３２よりも出っ張っていないために、新たな台紙３がラベル２に引っかかることなく、積層されることになる。
万が一、新たな台紙３がラベル２に引っかかったとしても、収納部６の高位側に配置されるガイド部８２と、最大収納時における最上位置の台紙３との間隔Ｓ２が、台紙３の搬送方向に沿う辺の長さＬ１よりも長く設定されているので、新たな台紙３が搬送経路７３を遮ることなく、高位側に傾倒することになる。
【００２１】
以上のように、本実施形態のＩＤカード作成装置１によれば、収納部６に積層される台紙３が、載置面６１の曲面に従って湾曲することになるので、それ以降積層される台紙３と、下層の台紙３のラベル２との引っ掛かりをも防止することができる。このようにラベル２による引っかかりを防止できれば、ラベル２が貼付された台紙３が搬送経路７３を遮ってしまうことを防止でき、結果として安定した搬送性が確保される。
さらに、万が一台紙３がラベル２に引っかかったとしても、ガイド部８に引っかかることなく、収納部６の高位側に倒れることになるので、搬送経路７３が遮られなくなり、より安定した搬送性を確保することができる。
【００２２】
なお、本発明は上記実施の形態に限らず適宜変更可能であるのは勿論である。
例えば、一対のガイド部８に備わる一対の搬送ローラ７１を、図５に示すように搬送方向に対する推進力を台紙３に付与する駆動ローラとしてもよい。こうした場合、搬送ローラ７１は、載置面６１との間隔Ｓ３が台紙３の搬送方向に沿う辺３１，３２の長さＬ１よりも短くなるように配置されている。この配置により、搬送ローラ７１で搬送された台紙３の先端部が、載置面６１若しくは載置面６１上の台紙３に接触すると、その際の反発力が台紙３に作用して、台紙３が搬送方向に直交する方向に湾曲することになる。つまり、一対の搬送ローラ７１により挟まれている間は、台紙３は搬送方向に直行する方向に湾曲しているので、載置面６１の湾曲に沿うように変形しにくくなる。これにより、載置面６１上における台紙３のラベル２にも触れにくくなって、台紙３の引っかかりをより防止することができる。なお、この場合においては、ガイド部８２と最上位置の台紙３との間隔Ｓ２は、台紙３の搬送方向に沿う辺３１，３２の長さＬ１よりも短くなる。
【００２３】
さらに、図６は収納部６の上視面図であるが、この図６に示すように落下防止面６２を、搬送方向に対して傾かせてもよい。このように落下防止面６２が、搬送方向に対して傾いていると、収納後においては台紙３及びラベル２も搬送方向に対して傾くことになる。ラベル２が傾いていると、当該台紙３上を新たな台紙３ａが摺擦したとしても、新たな台紙３ａの先端辺と、収納された台紙３におけるラベル２の後端辺とが非平行となるので、新たな台紙３ａがラベル２に引っかかることをより防止することができる。
【００２４】
そして、本実施形態では、搬送経路７３が上下方向に沿った場合を例示して説明したが、搬送経路はそれ以外の方向に沿ったものであってもよい。具体的には、図７に示すように、搬送経路７４が水平方向に沿ってから下方に向けて傾斜するものである場合、収納部６Ａは、その傾斜部分に対して傾くように水平に配置されている。そして、この収納部６Ａの載置面６１Ａにおいても、当該載置面６１Ａに載置された台紙３を、搬送方向に沿う一対の辺が他の部分よりも上位となるように湾曲させる曲面に形成されている。
【図面の簡単な説明】
【００２５】
【図１】本実施形態のＩＤカード作成装置の概略構成を表す側面図である。
【図２】図１のＩＤカード作成装置に備わる一対のガイド部及び収納部の位置関係を表す側面図である。
【図３】図２のＡ−Ａ断面を表す断面図である。
【図４】図３の突起の変形例を示す断面図である。
【図５】図２の一対のガイド部及び収納部の変形例を表す側面図である。
【図６】図２の収納部の変形例を表す説明図である。
【図７】図２の収納部の変形例を表す説明図である。
【図８】従来のＩＤカード作成装置に備わる一対のガイド部及び収納部の位置関係を表す側面図である。
【図９】従来のＩＤカード作成装置に備わる一対のガイド部及び収納部の位置関係を表す側面図である。
【符号の説明】
【００２６】
１      カード作成装置
２      ラベル
３      台紙
４      供給トレイ
５      読取部
６      収納部
７      搬送部
８      ガイド部
３１，３２    両側辺
５１      リーダ
５２      カメラ
６１      載置面
６２      落下防止面
６４      突起
７１      搬送ローラ
７２      搬送ベルト
７３      搬送経路
Ｓ１      間隔
Ｓ２      間隔
Ｔ      延長線
【図１】
2007182017.tif 000003
【図２】
2007182017.tif 000004
【図３】
2007182017.tif 000005
【図４】
2007182017.tif 000006
【図５】
2007182017.tif 000007
【図６】
2007182017.tif 000008
【図７】
2007182017.tif 000009
【図８】
2007182017.tif 000010
【図９】
2007182017.tif 000011